(57)【要約】【課題】浴室暖房乾燥機のファンの回転に起因する共振が生じた場合に、共振状態を解消して大きな運転音の発生を防止する。【解決手段】温風乾燥運転時または送風乾燥運転時に、ファンの回転に起因する共振が生じて運転音が大きくなると、メンテナンス技術者等が、浴室用操作器１０を操作して回転数変更処理の開始指令を制御部５４に与え、制御部５４は、換気ファン１６及び循環ファン１２の内の一方のファンの回転数を、所定回転数変更し、この所定回数の変更によって、運転音が小さくならないときには、メンテナンス技術者等が、浴室用操作器１０を操作して開始指令を制御部５４に再び与え、制御部５４は、他方のファンの回転数を所定回転数変更する。【選択図】図６
2015137813.tif 000002
【特許請求の範囲】
【請求項１】
浴室内の空気を換気する換気ファン、浴室内の空気を循環する循環ファン、及び、循環する空気を加熱する加熱手段を備え、
前記換気ファン及び前記循環ファンを作動させると共に、前記加熱手段によって空気を加熱する温風乾燥運転と、
前記換気ファン及び前記循環ファンを作動させると共に、前記加熱手段による空気の加熱を行わない送風乾燥運転と、
前記換気ファンを作動させることなく、前記循環ファンを作動させると共に、前記加熱手段によって空気を加熱する暖房運転と、を実行可能な浴室暖房乾燥機において、
操作に応じて、ファンの回転数変更処理の開始指令及び完了指令を出力する回転数変更処理指令手段と、
前記回転数変更処理指令手段から入力される前記回転数変更処理の開始指令及び完了指令に基づいて、前記換気ファン及び前記循環ファンの少なくともいずれか一方のファンの回転数を制御する制御手段とを備え、
前記制御手段は、前記温風乾燥運転または前記送風乾燥運転の実行中に、前記回転数変更処理の開始指令が入力された場合には、前記換気ファン及び前記循環ファンの内の一方のファンの回転数を、第１所定回転数変更し、前記一方のファンの回転数を、前記第１所定回転数変更した後に、再び前記回転数変更処理の開始指令が入力されたときには、前記換気ファン及び前記循環ファンの内の他方のファンの回転数を、第２所定回転数変更する、
ことを特徴とする浴室暖房乾燥機。
【請求項２】
前記制御手段は、記憶部を有し、
前記制御手段は、前記一方のファンの回転数を、前記第１所定回転数変更した後に、前記回転数変更処理の完了指令が入力されたときには、変更後の前記一方のファンの回転数を、該一方のファン用の変更後回転数として前記記憶部に記憶し、
前記他方のファンの回転数を、前記第２所定回転数変更した後に、前記回転数変更処理の完了指令が入力されたときには、変更後の前記他方のファンの回転数を、該他方のファン用の変更後回転数として前記記憶部に記憶し、
前記制御手段は、前記変更後回転数が前記記憶部に記憶されている場合には、前記温風乾燥運転または前記送風乾燥運転の実行時に、ファンの回転数を、前記記憶部に記憶されている対応するファン用の変更後回転数に制御する、
請求項１に記載の浴室暖房乾燥機。
【請求項３】
前記一方のファンの前記第１所定回転数の変更、及び、前記他方のファンの前記第２所定回転数の変更が、いずれも回転数を増加させる変更である、
請求項１または２に記載の浴室暖房乾燥機。
【請求項４】
前記暖房運転における前記循環ファンの回転数が複数段階で設定可能な設定手段を備え、
前記制御手段は、前記設定手段の設定に基づいて、前記循環ファンの回転数を制御するものであり、
前記制御手段は、前記循環ファンの回転数が前記複数段階の内の回転数が最も低い段階の回転数に設定された状態の前記暖房運転の実行中に、前記回転数変更処理の開始指令が入力されたときには、前記循環ファンの回転数を、第３所定回転数減少させ、前記最も低い段階以外の回転数に設定された状態の前記暖房運転の実行中に、前記回転数変更処理の開始指令が入力されたときには、前記循環ファンの回転数を、第４所定回転数増加させる、
請求項１ないし３のいずれかに記載の浴室暖房乾燥機。
【請求項５】
前記制御手段は、前記他方のファンの回転数を、前記第２所定回転数変更した後に、前記回転数変更処理の完了指令が入力されないときには、前記一方のファン及び前記他方のファンの少なくともいずれか一方のファンの回転数を、更に変更する、
請求項１ないし４のいずれかに記載の浴室暖房乾燥機。
【発明の詳細な説明】
【技術分野】
【０００１】
本発明は、浴室内の暖房、換気などに用いる浴室暖房乾燥機に関する。
【背景技術】
【０００２】
浴室暖房乾燥機は、その本体が、浴室の天井などに取り付けられるのであるが、前記本体は、浴室内の空気の換気や循環のためのファンを備えており、これらのファンの回転よって発生する振動が浴室天井面に伝播するのを軽減すると共に、施工による振動伝播のバラツキを少なくする浴室暖房乾燥機が提案されている（例えば、特許文献１参照）。
【０００３】
この特許文献１では、浴室天井面の開口に下側から浴室暖房乾燥機本体を入れ、浴室暖房乾燥機本体のフランジを浴室天井面に対して接触させない状態で浴室暖房乾燥機本体の固定を行い、浴室暖房乾燥機本体の固定を行った後に浴室天井面とフランジとをシールすることにより、浴室暖房乾燥機本体の循環用ファンなどが回転することによって発生する振動が浴室天井面に伝播するのを軽減して振動伝播のばらつきを少なくするようにしている。
【先行技術文献】
【特許文献】
【０００４】
【特許文献１】特開２００７−３２２０７２号公報
【発明の概要】
【発明が解決しようとする課題】
【０００５】
特許文献１のように、浴室天井面と浴室暖房乾燥機本体とを、シール材を用いてシールしても、浴室暖房乾燥機本体のファンの回転による振動数と、シール材を含む浴室天井面等の構造物の固有振動数とが一致する場合には、共振して大きな運転音（ファンの回転音）が生じる。
【０００６】
また、一般的に、浴室暖房乾燥機は、ユニットバスに設置されることが多い。ユニットバスには多種多様のものがあり、これらのユニットバスに浴室暖房乾燥機が設置されて、浴室暖房乾燥機のファンが回転したときに、ファンに生じる振動が、浴室暖房乾燥機が設置されたユニットバスに伝播する特性及びユニットバスに伝播した上記振動がユニットバスにおいて増幅または減衰される、ユニットバスの振動特性は、浴室暖房乾燥機が設置されるユニットバスの種類やユニットバスの設置状況によって異なる。
【０００７】
したがって、浴室天井面と浴室暖房乾燥機本体とを、シール材を用いてシールする特許文献１では、ユニットバスのように振動特性が様々に異なる浴室に浴室暖房乾燥機を設置するような場合に、共振による大きな運転音を効果的に抑制するのは困難である。
【０００８】
本発明は、このような実情に着目してなされたものであって、浴室暖房乾燥機のファンの回転に起因する共振が生じた場合に、共振状態を解消して大きな運転音が発生するのを防止することを目的とする。
【課題を解決するための手段】
【０００９】
上記目的を達成するために、本発明では次のように構成している。
【００１０】
（１）本発明の浴室暖房乾燥機は、浴室内の空気を換気する換気ファン、浴室内の空気を循環する循環ファン、及び、循環する空気を加熱する加熱手段を備え、
前記換気ファン及び前記循環ファンを作動させると共に、前記加熱手段によって空気を加熱する温風乾燥運転と、
前記換気ファン及び前記循環ファンを作動させると共に、前記加熱手段による空気の加熱を行わない送風乾燥運転と、
前記換気ファンを作動させることなく、前記循環ファンを作動させると共に、前記加熱手段によって空気を加熱する暖房運転と、を実行可能な浴室暖房乾燥機において、
操作に応じて、ファンの回転数変更処理の開始指令及び完了指令を出力する回転数変更処理指令手段と、
前記回転数変更処理指令手段から入力される前記回転数変更処理の開始指令及び完了指令に基づいて、前記換気ファン及び前記循環ファンの少なくともいずれか一方のファンの回転数を制御する制御手段とを備え、
前記制御手段は、前記温風乾燥運転または前記送風乾燥運転の実行中に、前記回転数変更処理の開始指令が入力された場合には、前記換気ファン及び前記循環ファンの内の一方のファンの回転数を、第１所定回転数変更し、前記一方のファンの回転数を、前記第１所定回転数変更した後に、再び前記回転数変更処理の開始指令が入力されたときには、前記換気ファン及び前記循環ファンの内の他方のファンの回転数を、第２所定回転数変更することを特徴とする。
【００１１】
前記第１所定回転数と前記第２所定回転数は、同じ回転数であってもよいし、異なる回転数であってもよい。
【００１２】
本発明によると、換気ファン及び循環ファンを共に作動させる温風乾燥運転または送風乾燥運転を実行した場合に、ファンの回転に起因する共振が生じて運転音が大きくなると、大きな運転音を聴覚で確認した、例えば、当該浴室暖房乾燥機のメンテナンスを行うメンテナンス技術者が、回転数変更処理指令手段を操作して回転数変更処理の開始指令を制御手段に与える。制御手段は、開始指令に応答して、換気ファン及び循環ファンの内の一方のファンの回転数を、第１所定回転数変更し、これによって、前記一方のファンの回転に起因する共振である場合には、その共振状態が解消され、運転音が小さくなる。
【００１３】
また、前記一方のファンの回転数を第１所定回転数変更しても、共振状態が解消せず、運転音が小さくならないときには、例えば、前記メンテナンス技術者は、回転数変更処理指令手段を操作して回転数変更処理の開始指令を制御手段に再び与える。制御手段は、再度の開始指令に応答して、前記一方のファンの回転に起因する共振ではなく、他方のファンの回転に起因する共振であるとして、前記他方のファンの回転数を、第２所定回転数変更して共振状態を解消する。
【００１４】
このように、温風乾燥運転または送風乾燥運転の実行時に、共振が生じて運転音が大きくなるときには、その大きな運転音を聴覚で確認したメンテナンス技術者等による回転数変更処理指令手段の操作によって、換気ファン及び循環ファンの内の少なくともいずれか一方のファンの回転数を所定回転数変更して共振が生じる回転数領域からずらすことができるので、共振状態を解消して運転音を小さくすることができる。
【００１５】
特に、浴室暖房乾燥機は、ユニットバスのように振動特性の異なる多様な浴室に設置されるので、浴室の種類や設置の状況によって共振周波数も異なり、共振を生じ易いが、本発明によれば、共振が生じて運転音が大きくなっても、その共振状態を解消して運転音を小さくすることができる。
【００１６】
しかも、メンテナンス技術者等が、その聴覚によって、共振が生じて運転音が大きくなったことを確認し、回転数変更処理指令手段を操作することによって、ファンの回転数変更処理の開始指令を制御手段に与えるので、共振が生じたか否か等を検出するセンサ等を設ける必要がなく、その分コストを低減することができる。
【００１７】
（２）本発明の好ましい実施態様では、前記制御手段は、記憶部を有し、
前記制御手段は、前記一方のファンの回転数を、前記第１所定回転数変更した後に、前記回転数変更処理の完了指令が入力されたときには、変更後の前記一方のファンの回転数を、該一方のファン用の変更後回転数として前記記憶部に記憶し、
前記他方のファンの回転数を、前記第２所定回転数変更した後に、前記回転数変更処理の完了指令が入力されたときには、変更後の前記他方のファンの回転数を、該他方のファン用の変更後回転数として前記記憶部に記憶し、
前記制御手段は、前記変更後回転数が前記記憶部に記憶されている場合には、前記温風乾燥運転または前記送風乾燥運転の実行時に、ファンの回転数を、前記記憶部に記憶されている対応するファン用の変更後回転数に制御する。
【００１８】
この実施態様によると、一方のファンの回転数を、第１所定回転数変更することによって、共振状態が解消されて運転音が小さくなったときには、運転音が小さくなったことを聴覚で確認したメンテナンス技術者等が、回転数変更処理指令手段を操作して回転数変更処理の完了指令を制御手段に与える。制御手段は、完了指令に応答して、変更後の回転数を一方のファン用の変更後回転数として記憶部に記憶する。
【００１９】
また、他方のファンの回転数を、第２所定回転数変更することによって、共振状態が解消されて運転音が小さくなったときには、運転音が小さくなったことを聴覚で確認したメンテナンス技術者等が、回転数変更処理指令手段を操作して回転数変更処理の完了指令を制御手段に与える。制御手段は、完了指令に応答して、変更後の回転数を他方のファン用の変更後回転数として記憶部に記憶する。
【００２０】
制御手段は、記憶部に各ファン用の変更後回転数が記憶されている場合には、温風乾燥運転または前記送風乾燥運転の実行時に、ファンの回転数を、記憶されている対応するファン用の変更後回転数に制御するので、次回以降の運転時には、共振が生じて大きな運転音が生じるのを防止することができる。
【００２１】
（３）本発明の更に他の実施態様では、前記一方のファンの前記第１所定回転数の変更、及び、前記他方のファンの前記第２所定回転数の変更が、いずれも回転数を増加させる変更である。
【００２２】
この実施態様によると、換気ファンや循環ファンの回転数を増加させるので、換気風量や循環風量が増加することになるが、共振が生じる回転数からずらすように回転数を増加させればよいので、風量の増加量は比較的少なく、しかも、温風乾燥運転は、一般的に入浴後の浴室の乾燥や衣類の乾燥などに使用されるために、風量を多少増加させても不都合は生じにくく、送風乾燥運転も、涼風モードとして主に夏場の入浴時に涼風感を得るために使用されるために、風量を多少増加させても不都合は生じにくく、更に、換気を行っている場合にも、風量を多少増加させても問題は生じにくい。
【００２３】
（４）本発明の他の実施態様では、前記暖房運転における前記循環ファンの回転数が複数段階で設定可能な設定手段を備え、
前記制御手段は、前記設定手段の設定に基づいて、前記循環ファンの回転数を制御するものであり、
前記制御手段は、前記循環ファンの回転数が前記複数段階の内の回転数が最も低い段階の回転数に設定された状態の前記暖房運転の実行中に、前記回転数変更処理の開始指令が入力されたときには、前記循環ファンの回転数を、第３所定回転数減少させ、前記最も低い段階以外の回転数に設定された状態の前記暖房運転の実行中に、前記回転数変更処理の開始指令が入力されたときには、前記循環ファンの回転数を、第４所定回転数増加させる。
【００２４】
前記第３所定回転数は、前記第４所定回転数と同じ回転数であってもよいし、異なる回転数であってもよい。また、これら回転数は、上記第１所定回転数または上記第２所定回転数と同じ回転数であってもよいし、異なる回転数であってもよい。
【００２５】
設定手段では、暖房運転の温風の風量、すなわち、循環ファンの回転数を複数段階、例えば、「強」、「弱」の２段階で設定可能であり、一般に、「強」は、主に入浴前の浴室を暖める予備暖房に使用され、「弱」は、主に入浴中の暖房に使用される。
【００２６】
この実施態様によると、循環ファンのみを作動させて循環空気を加熱する暖房運転を実行した場合に、ファンの回転に起因して共振が生じて運転音が大きくなると、運転音が大きくなったことを聴覚で確認したメンテナンス技術者等が、回転数変更処理指令手段を操作して回転数変更処理の開始指令を制御手段に与える。制御手段は、開始指令に応答して、循環ファンの回転に起因する共振であるとして、循環ファンの回転数を、設定手段による暖房運転の設定状態に応じて、第３所定回数減少、あるいは、第４所定回転数増加させるので、循環ファンに起因する共振状態を解消して運転音を小さくすることができる。
【００２７】
しかも、循環ファンの回転数が、設定手段で設定可能な複数段階の内の回転数が最も低い段階、例えば、「弱」に設定された状態の暖房運転、主に入浴中の暖房に使用される暖房運転の実行中は、循環ファンの回転数を減少させるので、回転数を増加させて風量を増やす場合のように、浴室内の使用者の濡れた肌に当たる風量が増えて、使用者が肌寒さを感じるといったことがない。また、循環ファンの回転数が、前記最も低い段階以外の段階、例えば、「強」に設定された状態の暖房運転、主に入浴前に浴室を暖める予備暖房に使用される暖房運転の実行中は、循環ファンの回転数を増加させるので、浴室を暖める予備暖房に支障が生じることもない。
【００２８】
（５）本発明の他の実施態様では、前記制御手段は、前記他方のファンの回転数を、前記第２所定回転数変更した後に、前記回転数変更処理の完了指令が入力されないときには、前記一方のファン及び前記他方のファンの少なくともいずれか一方のファンの回転数を、更に変更する。
【００２９】
ファンの回転数の更なる変更は、上記(１)と同様に行ってもよい、すなわち、前記一方のファンの回転数を、更に所定回転数変更し、変更しても運転音が小さくならず、回転数変更処理の完了指令が与えられないときには、前記他方のファンの回転数を、更に所定回転数変更するといったように繰り返してもよく、この場合、変更する回転数を初回の変更時と異ならせてもよい。
【００３０】
この実施態様によると、ファンの回転数を変更しても、共振状態が解消せず、運転音が小さくならないために、回転数変更処理の完了指令が与えられないときには、再びファンの回転数を変更して共振状態の解消を図ることができる。
【発明の効果】
【００３１】
本発明によれば、浴室暖房乾燥機の運転時に、共振が生じて運転音が大きなったときには、運転音が大きくなったことを聴覚で確認したメンテナンス技術者等が、回転数変更処理指令手段を操作することによって、ファンの回転数が、所定回転数変更されて共振が生じる回転数領域からずらされるので、共振状態を解消して運転を小さくすることができる。
【図面の簡単な説明】
【００３２】
【図１】本発明の一実施形態の浴室暖房乾燥機の設置状態を示す斜視図である。
【図２】図１の浴室暖房乾燥機の内部の配管を説明する管路図である。
【図３】図１の浴室暖房乾燥機の断面図である。
【図４】脱衣室用操作器の正面図である。
【図５】浴室用操作器の正面図である。
【図６】浴室暖房乾燥機の制御系統の構成を示すブロック図である。
【発明を実施するための形態】
【００３３】
以下、本発明の実施形態について図面を参照しながら説明する。
【００３４】
図１は、本発明の一実施形態に係る浴室暖房乾燥機の設置状態を示す斜視図である。
【００３５】
浴室暖房乾燥機１は、ユニットバス等の浴室２の浴槽３の上方位置の天井４に設置される。この実施形態の浴室暖房乾燥機１は、ミスト機能付の浴室暖房乾燥機であり、浴室２内の暖房、浴室２内の換気、浴室２内の乾燥、浴室２内に干した洗濯物の乾燥、浴室２内への涼風の送風、浴室２内に温水のミストを噴霧するミスト浴、浴室２内に温水のミストを噴霧すると共に温風を吹き出すミストサウナ浴、を実行する機能を有する。
【００３６】
この浴室暖房乾燥機１の本体５は、天井裏に配置され、吊り金具６にて天井スラブ等に吊り支持され、本体５の下面が、浴室２の天井４の開口部７に臨む。天井４の下面には、開口部７を覆うグリル板２０（図３参照）を配置してあり、グリル板２０を本体５の下面側に取り付けてあり、グリル板２０の外周縁が天井４に当接した状態となっている。
【００３７】
浴室暖房乾燥機１の本体５には、給湯暖房機等の屋外の熱源機８から温水が供給される。
【００３８】
また浴室暖房乾燥機１は、浴室２外の脱衣室に設けた脱衣室用操作器９や浴室２内に設けた浴室用操作器１０によってリモコン操作される。
【００３９】
図２は、図１の浴室暖房乾燥機１の内部の配管を説明するための管路図であり、図３は、図１の浴室暖房乾燥機１の断面図であり、図１に対応する部分には、同一の参照符号を付す。
【００４０】
図２に示すように、本体５内には、空気を加熱する加熱手段としての温風用熱交換器１１や循環ファン１２を内装してある。この温風用熱交換器１１は、内部に温水を通すことで外部を流れる空気、つまり浴室２内に送り込まれる空気と温水とを熱交換して、空気を加熱するもので、この温風用熱交換器１１は、本体５に配管した暖房用温水管路１３の途中に配置してあり、暖房用温水管路１３には、給湯暖房機等の熱源機８から温水が供給される。暖房用温水管路１３には、温風用熱交換器１１への温水の供給を開閉する熱動弁１４を設けてあり、暖房用温水管路１３には、この管路を流れる温水の温度を検出する暖房温水サーミスタ１５を配設してある。
【００４１】
図３に示すように、浴室暖房乾燥機１の本体５には、浴室内空気を循環させる上記循環ファン１２と、浴室内空気を外部へ排出する換気ファン１６とが設けられている。図３では、換気ファン１６の逆風止め１７が示されている。
【００４２】
また本体５の下面側には、循環ファン１２で送風される空気を浴室内に吹き出す吹き出し口１８を設けてあり、この吹き出し口１８には、可動ルーバー１９を回動自在に装着してあり、可動ルーバー１９を回動することにより吹き出し口１８の開閉、および、吹き出し口１８から吹き出す風向の変更が可能にしてある。グリル板２０には、浴室２内に空気を吸い込む吸い込み口２１を設けてあり、この吸い込み口２１の近傍に浴室温度サーミスタ２２を配設してある。
【００４３】
また浴室暖房乾燥機１には、ミスト浴の機能を具備するためにミスト発生部２３を組み込んである。ミスト発生部２３からのミストを噴霧するミストノズル２４は、グリル板２０の一部に配置してあり、ミスト用給水管路２５がミストノズル２４に連通する。図２に示すように、このミストノズル２４として、２個のミストノズル２４ａ，２４ｂがあり、各ミストノズル２４ａ，２４ｂは、０．５リットル／ｍｉｎ程度の流量で温水のミストを噴霧する。
【００４４】
ミストノズル２４ａ，２４ｂの手前には、電磁弁等で構成されるミスト開閉弁２６ａ，２６ｂを設けてあり、ミスト開閉弁２６ａ，２６ｂの開閉にてミストノズル２４ａやミストノズル２４ｂから選択的に温水のミストが噴霧される。２つのミストノズル２４ａ，２４ｂから温水のミストを噴霧すると、「強」のミスト量で噴霧し、一方のミストノズル２４ａ又はミストノズル２４ｂから温水のミストを噴霧すると、「弱」のミスト量で噴霧するように構成される。本例の場合、ミスト発生部２３は本体５の上に搭載してある。
【００４５】
ミスト用給水管路２５には、水道水、いわゆる上水が供給され、入口側から順にストレーナ２７、給水電磁弁２８を設けてある。上記暖房用温水管路１３には、温風用熱交換器１１と並列になるようにミスト加熱用管路２９を設けてあり、このミスト加熱用管路２９には、ミスト加熱用管路２９を流れる温水の流れを制御する比例弁３０を設けてある。またミスト加熱用管路２９とミスト用給水管路２５との間には、液―液熱交換器で構成されるミスト用熱交換器３１を配設してあり、ミスト加熱用管路２９を流れる温水でミスト用給水管路２５を流れるミスト用の水を加熱するようになっている。ミスト用給水管路２５におけるミスト用熱交換器３１とミスト開閉弁２６ａ，２６ｂとの間には、ミスト用給水管路２５を流れる温水の温度を検出するミスト温度サーミスタ３２を配設してある。
【００４６】
図４に示すように、脱衣室用操作器９には、タイマー表示部３３、タイマー設定スイッチ３４、風向スイッチ３５、ミストサウナスイッチ３６、乾燥スイッチ３７、暖房スイッチ３８、涼風スイッチ３９、換気スイッチ４０、停止スイッチ４１を設けてある。
【００４７】
図５に示すように、浴室用操作器１０には、状態表示部４２、ミストサウナスイッチ４３、ミストスイッチ４４、温度設定スイッチ４５、暖房スイッチ４６、涼風スイッチ４７、風向スイッチ４８、ミスト入浴時間計測用のストップウォッチのスタート／ストップスイッチ４９、リセットスイッチ５０、停止スイッチ５１を設けてある。各操作器９，１０は、各運転や風量等の設定を行う設定手段としての機能を有する。また、この実施形態では、浴室用操作器１０は、後述の回転数変更処理指令手段としての機能を有する。
【００４８】
図６は、浴室暖房乾燥機１の制御系統の構成例を示すブロック図である。
【００４９】
浴室暖房乾燥機１は、メモリ５２及び演算回路５３等を内蔵した制御手段としての制御部５４を備えている。
【００５０】
上記操作器９や操作器１０をリモコン操作することで制御部５４は、以下のように制御する。
【００５１】
制御部５４は、操作器９や操作器１０からの指令に基づいて、循環用モータによって回転駆動される循環ファン１２および換気用モータによって回転駆動される換気ファン１６の通風作動を制御するなどして、浴室２内を乾燥する乾燥運転（温風乾燥運転）、浴室２内の空気を循環させるとともに換気する涼風運転（送風乾燥運転）、浴室２内を暖房する暖房運転、浴室２内を通常設定換気量にて換気する通常換気運転、浴室２内を２４時間設定換気量にて換気する２４時間換気運転などの各種の運転を実行するように構成されている。
【００５２】
脱衣室用操作器９や浴室用操作器１０には、上記図４、図５に示すように、乾燥運転（温風乾燥運転）を指令する乾燥運転スイッチ３７、涼風運転（送風乾燥運転）を指令する涼風運転スイッチ３９，４７、暖房運転を指令する暖房運転スイッチ３８，４６、通常換気運転を指令する換気運転スイッチ４０、タイマー表示部３３などが設けられている。なお、通常換気運転スイッチ４０を押し操作する毎に、「換気強」、「換気弱」の運転に切り替わる。
【００５３】
また、換気運転スイッチ４０を３秒以上押し操作することで、２４時間換気運転を行う「２４時間換気」の運転に切り替わる。
【００５４】
停止スイッチ４１を押し操作することで、上記各運転は停止するが、停止スイッチ４１を押し操作しても、２４時間換気運転は停止しない。２４時間換気運転中に、換気運転スイッチ４０を３秒以上押し操作することで、２４時間換気運転を停止する。
【００５５】
乾燥運転（温風乾燥運転）は、循環ファン１２を作動させ、かつ、浴室２内の温度が乾燥用の設定温度範囲に維持されるように、熱動弁１４の開閉を制御して温風用熱交換器１１に温水を循環供給するとともに、設定風量となるように換気ファン１６を作動させて、浴室２内から吸引した空気の一部を、排気ダクトを通して屋外に排出させながら、温風用熱交換器１１により加熱された循環空気を吹き出し口１８から浴室２内に吹出すようにしている。
【００５６】
涼風運転（送風乾燥運転）は、循環ファン１２を作動させるとともに、設定風量となるように換気ファン１６を作動させて、浴室２内から吸引した空気の一部を、屋外に排出させながら、吸い込み口２１から吸引された循環空気を吹き出し口１８から浴室２内に吹出すようにしている。
【００５７】
暖房運転は、換気ファン１６を停止させた状態で、循環ファン１２を作動させ、かつ、浴室２内の温度が暖房用の設定温度範囲に維持されるように、熱動弁１４の開閉を制御して温風用熱交換器１１に温水を循環供給させるとともに、浴室２内から吸引した空気の全量を温風用熱交換器１１により加熱し、その加熱された循環空気を吹き出し口１８から浴室２内に吹出すようにしている。
【００５８】
通常換気運転は、通常設定換気量となるように換気ファン１６を作動させて、浴室２内から吸引した空気を換気するようにしている。
【００５９】
２４時間換気運転は、２４時間設定換気量となるように換気ファン１６を作動させて、浴室２内から吸引した空気を換気するようにして、２４時間継続して換気するようにしている。
【００６０】
浴室暖房乾燥機１は、ユニットバスのように振動特性の異なる多様な浴室に設置されるので、浴室の種類や設置状況によっては、浴室暖房乾燥機１の循環ファン１２や換気ファン１６の回転によって生じる振動数が、浴室天井４等の構造物の固有振動数に近接、あるいは、一致して共振し、大きな運転音が生じることが考えられる。
【００６１】
この実施形態の浴室暖房乾燥機１では、循環ファン１２や換気ファン１６の回転に起因する共振によって大きな運転音が生じる場合には、その共振が生じないようにして大きな運転音の発生を防止するために、次のように構成している。
【００６２】
例えば、浴室暖房乾燥機１の運転時に、共振が生じて運転音が大きいとユーザが感じたときに、ユーザが、サービスメンテナンス会社にメンテナンスを依頼し、依頼に基づいて、メンテナンス技術者は、次のような手順で作業を行って、共振が生じないようにする。
【００６３】
すなわち、メンテナンス技術者は、浴室暖房乾燥機１を運転し、共振が生じて運転音が大きいことを聴覚で確認すると、回転数変更処理指令手段としての浴室用操作器１０を操作して、制御部５４に対して、ファンの回転数変更処理の開始指令を与える。
【００６４】
ここでは、循環ファン１２及び換気ファン１６を共に作動させる温風乾燥運転時または送風乾燥運転時に共振が生じて運転音が大きくなった場合と、換気ファン１６を作動させることなく、循環ファン１２を作動させる暖房運転時に共振が生じて運転音が大きくなった場合について説明する。
【００６５】
先ず、循環ファン１２及び換気ファン１６を共に作動させる温風乾燥運転時または送風乾燥運転時に共振が生じて運転音が大きくなった場合について説明する。
【００６６】
メンテナンス技術者は、浴室暖房乾燥機１の温風乾燥運転時または送風乾燥運転時に、運転音が大きくなっていることを聴覚で確認すると、上記のように浴室用操作器１０を操作して、制御部５４に対して、ファンの回転数変更処理の開始指令を与える。この実施形態では、開始指令用の操作は、例えば、図５の浴室用操作器１０の暖房スイッチ４６と涼風スイッチ４７とを同時押ししながら、スタート／ストップスイッチ４９を押す操作である。
【００６７】
制御部５４は、この回転数変更処理の開始指令に応答して、循環ファン１２及び換気ファン１６の内の一方のファンである循環ファン１２の回転数を、第１所定回転数ＨＫ１だけ増加させる。この第１所定回転数ＨＫ１は、例えば、回転数変更処理の実行前の循環ファン１２の設定回転数の数％、例えば２％の回転数である。回転数変更処理の実行前の循環ファン１２の設定回転数が、例えば、１５００ｒｐｍの場合は、３０ｒｐｍ増加させて１５３０ｒｐｍに変更する。なお、第１所定回転数ＨＫ１は、前記数％に限らず、それ以上であってもよい。
【００６８】
循環ファン１２の回転数を第１所定回転数ＨＫ１だけ増加させる回転数変更処理の開始指令用の操作の後、メンテナンス技術者が、聴覚によって運転音が小さくなったことを確認し、共振状態が解消したと判断したときには、浴室用操作器１０を操作して、制御部５４に対して、ファンの回転数変更処理の完了指令を与える。この実施形態では、完了指令用の操作は、例えば、図５の浴室用操作器１０の暖房スイッチ４６と涼風スイッチ４７とを同時押ししながら、停止スイッチ５１を押す操作である。
【００６９】
制御部５４は、この回転数変更処理の完了指令に応答して、第１所定回転数ＨＫ１だけ増加させた後の循環ファン１２の変更後回転数である上記１５３０ｒｐｍを、設定回転数として制御部５４に内蔵されているメモリ５２に記憶し、次回以降の温風乾燥運転または送風乾燥運転の実行時に、循環ファン１２の回転数を、メモリ５２に記憶した変更後回転数である１５３０ｒｐｍに制御して運転する。これによって、次回以降の運転では、循環ファン１２の回転に起因する共振を防止することができる。
【００７０】
これに対し、浴室用操作器１０を操作して回転数変更処理の開始指令を与えたにも拘らず、メンテナンス技術者が、運転音が小さくなっていないことを聴覚で確認し、共振状態が解消していないと判断したときには、浴室用操作器１０に対して上記の開始指令用の操作を再び行い、制御部５４にファンの回転数変更処理の開始指令を再び与える。
【００７１】
制御部５４は、循環ファン１２の回転数を、第１所定回転数ＨＫ１だけ増加させた後に、浴室用操作器１０から回転数変更処理の開始指令が再び与えられると、循環ファン１２に起因する共振ではないとして、他方のファンである換気ファン１６の回転数を、第２所定回転数ＨＫ２だけ増加させる。この第２所定回転数ＨＫ２は、例えば、回転数変更処理の実行前の換気ファン１６の設定回転数の数％、例えば２％の回転数である。回転数変更処理の実行前の換気ファン１６の設定回転数が、例えば、１８００ｒｐｍの場合は、３６ｒｐｍ増加させて１８３６ｒｐｍに変更する。なお、第２所定回転数ＨＫ２は、前記数％に限らず、それ以上であってもよい。
【００７２】
そして、換気ファン１６の回転数を、第２所定回転数ＨＫ２だけ増加させて、メンテナンス技術者が、聴覚によって運転音が小さくなったことを確認し、共振状態が解消したと判断したときには、浴室用操作器１０に対して上記の完了指令用の操作を行い、制御部５４にファンの回転数変更処理の完了指令を与える。
【００７３】
制御部５４は、この回転数変更処理の完了指令に応答して、第２所定回転数ＨＫ２だけ増加させた後の換気ファン１６の変更後回転数である上記１８３６ｒｐｍを、設定回転数として制御部５４に内蔵されているメモリ５２に記憶し、次回以降の温風乾燥運転または送風乾燥運転の実行時に、換気ファン１６の回転数を、メモリ５２に記憶した変更後回転数である１８３６ｒｐｍに制御して運転する。これによって、次回以降の運転では、換気ファン１６の回転に起因する共振を防止することができる。
【００７４】
このようにして、換気ファン１６または循環ファン１２のいずれかの回転に起因する振動によって浴室暖房乾燥機１が設置されたユニットバスなどの浴室２が共振して運転音が大きくなっても、メンテナンス技術者の操作による開始指令に応じて、上記の回転数変更処理を実行することによって、換気ファン１６または循環ファン１２の回転数が、共振を生じる回転数からずれるので、共振を解消して運転音を小さくすることができる。
【００７５】
しかも、ファンの回転に起因する共振が生じて運転音が大きくなっているときには、メンテナンス技術者による操作で回転数変更処理の開始指令を制御部５４に与える一方、ファンの回転数の変更によって、共振状態が解消して運転音が小さくなったときには、同じくメンテナンス技術者等による操作で回転数変更処理の完了指令を制御部５４に与えるので、共振が生じたことや共振が解消したことを検出するためのセンサ、例えば、振動によって共振の有無を検出する振動センサ等を設ける必要がなく、その分コストを低減することができる。
【００７６】
なお、制御部５４が上記の回転数変更処理を実行して、循環ファン１２の回転数を、第１所定回転数ＨＫ１だけ増加させた後に、更に、換気ファン１６の回転数を、第２所定回転数ＨＫ２だけ増加させても、メンテナンス技術者が、運転音が小さくなっていないことを聴覚で確認し、共振状態が解消していないと判断したときには、上記の回転数変更処理を繰り返す、すなわち、浴室用操作器１０に対して開始指令用の操作を行い、制御部５４にファンの回転数変更処理の開始指令を更に与え、循環ファン１２の回転数を、更に所定回転数変更し、それでも運転音が小さくならないときには、浴室用操作器１０に対して開始指令用の操作を行い、制御部５４にファンの回転数変更処理の開始指令を更に与え、換気ファン１６の回転数を、更に所定回転数変更するといったように繰り返してもよく、この場合、変更する所定回転数を初回の変更時と異ならせてもよい。
【００７７】
あるいは、制御部５４が上記の回転数変更処理を実行して、循環ファン１２の回転数を、第１所定回転数ＨＫ１だけ増加させた後に、更に、換気ファン１６の回転数を、第２所定回転数ＨＫ２だけ増加させても、共振状態が解消せず、回転数変更処理の完了指令が与えられないときには、共振以外の原因によって運転音が大きくなっている可能性がある旨を、浴室用操作器１０によって報知してもよい。
【００７８】
本実施形態においては、温風乾燥運転または送風乾燥運転中に回転数変更処理を実行するときの第１所定回転数ＨＫ１及び第２所定回転数ＨＫ２は、共に正の値に設定され、回転数変更処理の実行によって循環ファン１２及び換気ファン１６の回転数を増加させるので、回転数を減少させるのに比べて、以下のような利点を有する。
【００７９】
(１)温風乾燥運転は一般的に、入浴後の浴室２の乾燥や衣類の乾燥などに使用されるため、換気風量及び循環風量が、数％程度微増しても不都合は生じにくい。
【００８０】
(２)送風乾燥運転は、涼風モードとして主に夏場の入浴時に涼風感を得るために使用されるため、換気風量及び循環風量が微増しても不都合は生じにくい。
【００８１】
(３)２４時間換気を行っている場合も、換気風量及び循環風量が微増しても問題は生じにくい。これに対し、２４時間換気を行っている場合、換気風量が減少すると所望の風量にて換気が行われないという不都合が生じる。
【００８２】
なお、第１所定回転数ＨＫ１及び第２所定回転数ＨＫ２を負の値とし、回転数変更制御の実行によって循環ファン１２及び換気ファン１６の回転数を減少させるようにしてもよい。
【００８３】
本実施形態においては、温風乾燥運転または送風乾燥運転中に回転数変更処理を実行するときに、先ず循環ファン１２の回転数を第１所定回転数ＨＫ１だけ増加させた後に、運転音が小さくならないときには、回転数変更処理の再度の開始指令に応答して、換気ファン１６の回転数を第２所定回転数ＨＫ２だけ増加させるようにしているが、温風乾燥運転または送風乾燥運転中に回転数変更処理を実行するときに、先ず換気ファン１６の回転数を第２所定回転数ＨＫ２だけ増加させた後に、運転音が小さくならないときには、回転数変更処理の再度の開始指令に応答して、循環ファン１２の回転数を第１所定回転数ＨＫ１だけ増加させるように、換気ファン１６の回転数を変更した後に循環ファン１２の回転数を変更するようにしてもよい。
【００８４】
本実施形態では、循環ファン１２の回転数を、第１所定回転数ＨＫ１だけ増加させた後に、浴室用操作器１０から回転数変更処理の開始指令が再び与えられることによって、換気ファン１６の回転数を、第２所定回転数ＨＫ２だけ増加させるようにしたけれども、他の実施形態として、第１所定回転数ＨＫ１だけ増加させた後に、予め定められた時間が経過しても再度の開始指令が与えられないときには、自動的に換気ファン１６の回転数を、第２所定回転数ＨＫ２だけ増加させるようにしてもよい。
【００８５】
次に、換気ファン１６を作動させることなく、循環ファン１２を作動させる暖房運転時に共振が生じて運転音が大きくなる場合について説明する。
【００８６】
本実施形態では、暖房運転において、循環ファン１２の回転数が複数段階の回転数に設定可能であり、「暖房強」運転では、循環ファン１２の回転数が暖房用高回転数、例えば、１８００ｒｐｍに設定され、「暖房弱」運転では、循環ファン１２の回転数が暖房用低回転数、例えば、１２００ｒｐｍに設定される。
【００８７】
メンテナンス技術者は、浴室暖房乾燥機１の、例えば、「暖房弱」の暖房運転時に、運転音が大きくなっていることを聴覚で確認すると、浴室用操作器１０に対して回転数変更処理の開始指令用の操作を行い、制御部５４にファンの回転数変更処理の開始指令を与える。
【００８８】
制御部５４は、この回転数変更処理の開始指令に応答して、循環ファン１２の設定回転数を、第３所定回転数ＨＫ３だけ減少させる。この第３所定回転数は、例えば、暖房用回転数変更処理の実行前の循環ファン１２の設定回転数の数％、例えば２％の回転数である。暖房用回転数変更処理の実行前の循環ファン１２の設定回転数が、１２００ｒｐｍであるので、２４ｒｐｍ減少させて１１７６ｒｐｍに変更する。なお、第３所定回転数ＨＫ３は、前記数％に限らず、それ以上であってもよい。
【００８９】
循環ファン１２の回転数を第３所定回転数ＨＫ３だけ減少させる回転数変更処理の開始指令の後、メンテナンス技術者が、聴覚によって運転音が小さくなったことを確認し、共振状態が解消したと判断したときには、浴室用操作器１０に対して回転数変更処理の完了指令用の操作を行い、制御部５４にファンの回転数変更処理の完了指令を与える。
【００９０】
制御部５４は、この回転数変更処理の完了指令に応答して、第３所定回転数ＨＫ３だけ減少させた後の循環ファン１２の変更後回転数である上記１１７６ｒｐｍを、設定回転数として制御部５４に内蔵されているメモリ５２に記憶し、次回以降の「暖房弱」の暖房運転の実行時に、循環ファン１２の回転数を、メモリ５２に記憶した変更後回転数である１１７６ｒｐｍに制御して運転する。これによって、次回以降の運転では、循環ファン１２の回転に起因する共振を防止することができる。
【００９１】
また、循環ファン１２の回転数が暖房用低回転数に設定された状態での「暖房弱」運転時ではなく、「暖房強」運転時に運転音が大きくなっている場合について説明する。
【００９２】
メンテナンス技術者は、浴室暖房乾燥機１の「暖房強」の暖房運転時に、運転音が大きくなっていることを聴覚で確認すると、浴室用操作器１０に対して回転数変更処理の開始指令用の操作を行い、制御部５４にファンの回転数変更処理の開始指令を与える。制御部５４は、この回転数変更処理の開始指令に応答して、循環ファン１２の設定回転数を、第４所定回転数ＨＫ４だけ増加させる。この第４所定回転数は、例えば、暖房用回転数変更処理の実行前の循環ファン１２の設定回転数の数％、例えば２％の回転数である。暖房用回転数変更処理の実行前の循環ファン１２の設定回転数が、１８００ｒｐｍであるので、３６ｒｐｍ増加させて１８３６ｒｐｍに変更する。なお、第４所定回転数ＨＫ３は、前記数％に限らず、それ以上であってもよい。
【００９３】
循環ファン１２の回転数を第４所定回転数ＨＫ４だけ増加させる回転数変更処理の開始指令の後、メンテナンス技術者が、聴覚によって運転音が小さくなったことを確認し、共振状態が解消したと判断したときには、浴室用操作器１０に対して回転数変更処理の完了指令用の操作を行い、制御部５４にファンの回転数変更処理の完了指令を与える。
【００９４】
制御部５４は、この回転数変更処理の完了指令に応答して、第４所定回転数ＨＫ４だけ増加させた後の循環ファン１２の変更後回転数である上記１８３６ｒｐｍを、設定回転数として制御部５４に内蔵されているメモリ５２に記憶し、次回以降の「暖房強」の暖房運転の実行時に、循環ファン１２の回転数を、メモリ５２に記憶した変更後回転数である１８３６ｒｐｍに制御して運転する。これによって、次回以降の運転では、循環ファン１２の回転に起因する共振を防止することができる。
【００９５】
このように暖房運転時に、循環ファン１２の回転に起因して共振が生じて運転音が大きくなった場合であっても、暖房用回転数変更処理の実行によって循環ファン１２の回転数が共振回転数からずれることになるから、共振状態が解消され、大きな運転音が生じるのを防止することができる。
【００９６】
上記温風乾燥運転や送風乾燥運転と同様に、共振状態が解消した変更後の循環ファン１２の回転数が、メモリ５２に次回以降の暖房運転実行時の設定回転数として記憶される。
【００９７】
なお、メモリ５２に記憶された次回以降の運転実行時の各ファン１２，１６の設定回転数は、リセット操作によって、初期設定値、すなわち、回転数変更処理実行前の出荷時の設定回転数に戻すことができる。このリセット操作は、例えば、図５の浴室用操作器１０の暖房スイッチ４６と涼風スイッチ４７とを同時押ししながら、リセットスイッチ５０を押す操作である。
【００９８】
本実施形態によれば、更に次のような利点がある。
【００９９】
(１)「暖房強」運転は、主に入浴前の浴室を暖める予備暖房に使用されるた  め、循環風量が微増しても不都合は生じにくい。
【０１００】
(２)「暖房弱」運転は、主に入浴中の暖房に使用され、循環風量が増加すると、  浴室内の使用者の濡れた肌に当たる風量が増えて、使用者が肌寒さを感じるが、循  環風量が微減しても不都合は生じにくい。
【０１０１】
上記の第１所定回転数ＨＫ１、第２所定回転数ＨＫ２、第３所定回転数ＨＫ３、第４所定回転数ＨＫ４は、適宜変更してもよい。
【０１０２】
上記実施形態では、メンテナンス技術者が、回転数変更処理指令手段としての浴室用操作器１０を操作したけれども、メンテナンス技術者に限らず、浴室暖房乾燥機の施工作業者やユーザなどが操作するようにしてもよい。
【０１０３】
上記実施形態では、回転数変更処理指令手段を、浴室用操作器１０で兼用したけれども、これに限らず、脱衣室用操作器９で兼用してもよく、両操作器９，１０で兼用してもよく、あるいは、回転数変更処理指令手段としてスイッチを追加するなどしてもよい。また、回転数変更処理の開始指令用の操作及び完了指令用の操作も、上記実施形態の操作に限らず、任意の操作とすることができる。
【符号の説明】
【０１０４】
１      浴室暖房乾燥機
２      浴室
４      天井
８      熱源機
９      脱衣室用操作器
１０    浴室用操作器（回転数変更処理指令手段）
１１    温風用熱交換器
１２    循環ファン
１４    熱動弁
１６    換気ファン
１５    暖房温水サーミスタ
１８    吹き出し口
２０    グリル板
２１    吸い込み口
２２    浴室温度サーミスタ
５３    演算回路
５４    制御部
ＨＫ１  第１所定回転数
ＨＫ２  第２所定回転数
ＨＫ３  第３所定回転数
ＨＫ４  第４所定回転数
【図１】
2015137813.tif 000003
【図２】
2015137813.tif 000004
【図３】
2015137813.tif 000005
【図４】
2015137813.tif 000006
【図５】
2015137813.tif 000007
【図６】
2015137813.tif 000008